(57)【要約】【課題】  両面粘着テープを用いずに収納枠体の内部に液晶表示パネルを収納し、収納枠体の内部において液晶表示パネルの中心部の位置を所定位置に確定する。【解決手段】  第１側壁３ａは側壁本体６と液晶表示パネル１９を固定するパネル取付け固定部７とから形成し、パネル取付け固定部７を、固定部本体１０と、固定部本体１０を側壁本体６に連結する弾性変形可能な支持部９、１１と、液晶表示パネル１９の側面をパネル内部に向けて押圧可能に形成された押圧部材１４と、液晶表示パネル１９の反基体側を係止可能に形成された第１係止部１３とから形成する。【選択図】      図４
2005091682.tif 000002
【特許請求の範囲】
【請求項１】
矩形状の基体と、該基体の少なくとも対向する辺にそれぞれ立設された側壁とを有し、基体および側壁に囲まれた空間内に液晶表示パネルを収納する収納枠体であって、
側壁のうちの一方の側壁を第１側壁とし、該第１側壁は側壁本体と液晶表示パネルを固定するパネル取付け固定部とからなり、
該パネル取付け固定部は、
固定部本体と、
固定部本体を側壁本体に連結する弾性変形可能な支持部と、
固定部本体の液晶表示パネルの側面に対向する固定部内面に突出形成され、該液晶表示パネルの側面をパネル内部に向けて押圧可能に形成された押圧部材と、
固定部本体の反基体側の端部付近から突出形成され、液晶表示パネルの反基体側を係止可能に形成された第１係止部とを備えていることを特徴とする収納枠体。
【請求項２】
パネル取付け固定部と基体との間に開口が形成されている請求項１に記載の収納枠体。
【請求項３】
支持部の厚みが側壁本体の厚みより薄い請求項１または２に記載の収納枠体。
【請求項４】
側壁本体は固定部本体を間に挟んで位置する第１側壁本体と第２側壁本体とからなり、
支持部は第１側壁本体と連結する第１支持部と、第２側壁本体と連結する第２支持部からなり、
第１支持部および第２支持部の幅寸法はそれぞれ連結されている側壁本体の幅寸法より狭く形成されている請求項１〜３のいずれか１項に記載の収納枠体。
【請求項５】
第１支持部および第２支持部が、固定部本体を基準として対角の位置に配設されている請求項４に記載の収納枠体。
【発明の詳細な説明】
【技術分野】
【０００１】
本発明は、液晶表示パネルと、導光板、反射板、拡散板等とを一体に保持して収納可能な収納枠体に関する。
【背景技術】
【０００２】
一般に、コンピュータや携帯機器等の表示装置として特定の図形や文字等の情報を表示するための液晶表示装置が多く用いられている。
【０００３】
この液晶表示装置は、一対の基板の中間に液晶が充填され、前記液晶に電界を与えて所定の表示を行う液晶表示パネルと、前記液晶表示パネルに照射光を照射するための光源や導光板、反射板、拡散板等を有する。
【０００４】
このような液晶表示装置においては、従来より、前記液晶表示パネルと導光板等とを一体に保持するための収納枠体を有する。
【０００５】
この収納枠体は、平面矩形状の基体を有し、前記基体の周辺部には側壁が立設され、また前記基体の内面における中央部分には大きな凹部が形成されている。
【０００６】
そして、このような収納枠体においては、この収納枠体の凹部に、反射板、導光板、拡散板等を積層して収納し、前記基体の内面における前記凹部が形成されていない部分に両面粘着テープを貼着した後、前記両面粘着テープ上に液晶表示パネルを配置して前記収納枠体に前記液晶表示パネルを貼着することにより、前記液晶表示と前記導光板等とを一体に保持して収納するようになっている。
【０００７】
しかし、前記収納枠体においては、大きさの異なる種々の液晶表示パネルに対応するため、前記収納枠体の内部の寸法が前記液晶表示パネルの大きさよりも大きく形成されている場合がある。このため、このような収納枠体の基体に前記液晶表示パネルを貼着する際、前記収納枠体の内部における前記液晶表示パネルの配置位置が設計上の配置位置とずれてしまうおそれがある。このような場合には、前記収納枠体の内部において液晶表示パネルの中心部を所定の位置に確定することが困難であるという問題を有していた。
【０００８】
また、両面粘着テープを用いて収納枠体の内部に液晶表示パネルを収納する場合には、一度液晶表示パネルを収納枠体の内部に配置してしまうと、前記収納枠体の内部において前記液晶表示パネルの配置位置がずれてしまった場合であっても再度液晶表示パネルを配置しなおすのは困難であった。
【発明の開示】
【発明が解決しようとする課題】
【０００９】
本発明はこれらの点に鑑みてなされたものであり、両面粘着テープを用いずに内部に液晶表示パネルを収納することができ、これにより、内部において液晶表示パネルの中心部を所定位置に確定することができる液晶表示パネルの収納枠体を提供することを目的とする。
【課題を解決するための手段】
【００１０】
前記目的を達成するため、請求項１に記載の発明に係る収納枠体の特徴は、矩形状の基体と、該基体の少なくとも対向する辺にそれぞれ立設された側壁とを有し、基体および側壁に囲まれた空間内に液晶表示パネルを収納する収納枠体であって、側壁のうちの一方の側壁を第１側壁とし、該第１側壁は側壁本体と液晶表示パネルを固定するパネル取付け固定部とからなり、該パネル取付け固定部は、固定部本体と、固定部本体を側壁本体に連結する弾性変形可能な支持部と、固定部本体の液晶表示パネルの側面に対向する固定部内面に突出形成され、該液晶表示パネルの側面をパネル内部に向けて押圧可能に形成された押圧部材と、固定部本体の反基体側の端部付近から突出形成され、液晶表示パネルの反基体側を係止可能に形成された第１係止部とを備えている点にある。
【００１１】
この請求項１に記載の発明によれば、収納枠体に液晶表示パネルを収納する際、固定部本体を収納枠体の外側に反らせながら、前記液晶表示パネルを前記収納枠体の内部に配置すると、前記パネル取付け固定部の押圧部材は、前記液晶表示パネルの対向する側面に圧接し、前記液晶表示パネルを前記側壁に対向する側壁の内面に押圧することができる。これにより、収納枠体の内部において液晶表示パネルの配置位置を固定することができる。また、前記第１係止部が液晶表示パネルにパネル表示側から係止されることにより、前記液晶表示パネルを前記収納枠体の内部に確実に保持することができる。
【００１２】
また、請求項２に記載の発明に係る収納枠体の特徴は、パネル取付け固定部と基体との間に開口が形成されている点にある。さらに、請求項３に記載の発明に係る収納枠体の特徴は、支持部の厚みが側壁本体の厚みより薄い点にある。そして、このような構成にすることで、固定部本体が収納枠体の外側、内側さらに移動かつ復元可能に構成される。
【００１３】
なお、支持部の厚みとともに固定部本体の厚みを薄くすることで、パネル取付け固定部が外側に反ったとしても、収納枠体の外形寸法以上の変形を防止することができる。
【００１４】
そして、請求項４に記載の発明に係る収納枠体の特徴は、側壁本体は固定部本体を間に挟んで位置する第１側壁本体と第２側壁本体とからなり、支持部は第１側壁本体と連結する第１支持部と、第２側壁本体と連結する第２支持部とからなり、第１支持部および第２支持部の幅寸法はそれぞれ連結されている側壁本体の幅寸法より狭く形成されている点にある。
【００１５】
この請求項４に記載の発明によれば、前記固定部本体は、第１支持部および第２支持部によってそれぞれ前記第１側壁本体および前記第２側壁本体に支持されているので、より確実にもとの位置に復元しその位置を保持することができる。
【００１６】
また、請求項５に記載の発明に係る収納枠体の特徴は、第１支持部および第２支持部が、固定部本体を基準として対角の位置に配設されている点にある。そして、このような構成によれば、支持部の弾性変形によって液晶表示パネルの側面を押圧する力方向がバランスよく側面に対し垂直方向となり、液晶表示パネルの側面を押す押圧力を確実に伝え、液晶表示パネルの位置合わせを適切に行なうことができる。
【発明の効果】
【００１７】
以上述べたように、本発明に係る収納枠体によれば、両面粘着テープを用いずに収納枠体の内部に液晶表示パネルを収納することができ、またパネル取付け固定部の押圧部材によって液晶表示パネルを前記パネル取付け固定部に対向する側壁の内面に押圧することができ、これにより、収納枠体の内部において液晶表示パネルの中心部の位置を所定位置に確実に確定することができる。
【００１８】
液晶表示パネルを収納枠体に両面粘着テープを用いずに収納するので、例え前記収納枠体に導光板等や液晶表示パネルを収納した後、前記導光板等や前記液晶表示パネルを収納しなおす必要が生じたとき、前記固定部本体を収納枠体の外側に反らせることにより液晶表示パネルを収納枠体から取り出し、再度収納しなおすことができる。
【発明を実施するための最良の形態】
【００１９】
以下、本発明に係る収納枠体の実施形態を図１から図５を参照して説明する。ここで、本実施形態においては、液晶表示パネルと、反射板、導光板、拡散板とを一体に保持して収納する収納枠体について、前記液晶表示パネルにおける視認側を上側、反視認側を下側として説明する。
【００２０】
図１は、本実施形態に係る収納枠体に液晶表示パネルを収納した場合を示す平面図であり、図１に示すように、前記収納枠体１は、樹脂材料等からなる平面が長方形状の基体２を有する。前記基体２の周辺部には、前記基体２と一体に形成された側壁３ａ、３ｂ、３ｃ、３ｄが立設されており、前記各側壁３ａ、３ｂ、３ｃ、３ｄのうち１つの側壁３ｄの中央部分には、大きな窓部４が形成されている。また、前記基体２の内面における中央部分には、図２に示すように、大きな凹部５が形成されている。
【００２１】
前記各側壁３ａ、３ｂ、３ｃ、３ｄのうち第１側壁である側壁３ａの一部分は、前記側壁３ａの両端部分に位置する２つのパネル取付け固定部７とされている。２つのパネル取付け固定部７のうちの一方のパネル取付け固定部でその構成を詳説すると、パネル取付け固定部７は、図３および図４に示すように、前記側壁３ａにおける前記パネル取付固定部７を除く部分である第１側壁本体６ａおよび第２側壁本体６ｂとの間に配置されている。また、前記基体２における前記各パネル取付け固定部７に接する周辺部分は、開口８とされ、パネル取付け固定部７に弾性変形性を付与している。
【００２２】
前記パネル取付け固定部７は、前記第１側壁本体６ａ側の上端部分、および前記第２側壁本体６ｂ側の下端部分に切り欠きが形成されている。これにより、前記パネル取付固定部７は、前記各側壁本体６と同一面上に形成される固定部本体１０と、前記固定部本体１０および前記第１側壁本体６ａの間に位置し前記固定部本体１０の一側面の下端部分と前記第１側壁本体６ａの下端部分とを連結する弾性変形可能な第１支持部９と、前記固定部本体１０および前記第２側壁本体６ｂの間に位置し前記固定部本体１０の上端部分と前記第２側壁本体６ｂの上端部分とを連結する弾性変形可能な第２支持部１１とを有する。このように、前記第１支持部９および前記第２支持部１１は、前記第１側壁本体６ａおよび前記第２側壁本体６ｂの幅寸法よりも狭い幅寸法によって形成されており、前記固定部本体１０を基準として対角の位置に配置されている。そして、前記固定部本体１０は、前記第１支持部９および前記第２支持部１１によって前記第１側壁本体６ａおよび前記第２側壁本体６ｂに支持されるようになっている。
【００２３】
また、前記各固定部本体１０、前記第１支持部９および前記第２支持部１１は、前記各固定部本体１０、前記第１支持部９および前記第２支持部１１の内面が前記側壁本体６の内面と面一であって、前記側壁本体６と比較して厚みが薄く形成されている。
【００２４】
さらに、前記各固定部本体１０の上端縁には、前記収納枠体１の内側に突出するような第１係止部１３が形成されている。また、これら各第１係止部１３における上面は、前記収納枠体１の内側に向かって下方向に傾斜する傾斜面１３ａとされている。
【００２５】
さらにまた、前記固定部本体１０の内面には、前記収納枠体１の内側に突出して形成された樹脂材料等からなる押圧部材１４がそれぞれ設けられている。
【００２６】
そして、前記固定部本体１０は、前記各第１係止部１３に対して外側に荷重が作用したとき前記各固定部本体１０が前記収納枠体１の外側に容易に反ることができるように構成されているとともに、前記第１係止部１３に対する外側への荷重が解除されたときには、もとの位置に容易に復元するような弾性変形性を有するように構成されている。
【００２７】
前記収納枠体１における前記各パネル取付け固定部７が形成されている側壁３ａに対向する第２側壁である側壁３ｂには、前記各パネル取付け固定部７の形成位置と対向する位置の上端縁に、前記収納枠体１の内側に突出する第２係止部１６がそれぞれ形成されている。
【００２８】
そして、前記収納枠体１における凹部５には、下側から反射板２４、導光板２５、拡散板２６が積層して配置されるようになっている。
【００２９】
また、前記収納枠体１における基体２および各側壁３ａ、３ｂ、３ｃ、３ｄに囲まれた内部には、一対の基板１８の対向する面に複数の電極（図示せず）が設けられ、前記各基板１８の間隙に図示しない液晶が充填された液晶表示パネル１９が収納されるようになっている。前記液晶表示パネル１９は、前記各電極の電極端子が液晶駆動用ＩＣ２０やフレキシブル配線基板２１等の各電極（図示せず）と接続されるようになっている。
【００３０】
この液晶表示パネル１９は、前記液晶表示パネル１９に接続されたフレキシブル配線基板２１が、前記収納枠体１の内部において前記収納枠体１における側壁３ｄの窓部４を介して前記収納枠体１の外部に配置されるように収納されるようになっている。
【００３１】
そして、前記液晶表示パネル１９は、前記収納枠体１の内部に収納されたとき、前記各パネル取付け固定部７の押圧部材１４によって前記液晶表示パネル１９の一側面を圧接されることにより、前記各押圧部材１４によって前記各パネル取付け固定部７に対向する側壁３ｂの内面である基準面２２に押圧されるようになっている。
【００３２】
また、前記液晶表示パネル１９は、各第１係止部１３および各第２係止部１６によって前記液晶表示パネル１９における視認側が係止されることにより、前記収納枠体１の内部に保持されるようになっている。
【００３３】
次に、本実施形態の作用について説明する。
【００３４】
本実施形態の収納枠体１に液晶表示パネル１９および導光板２５等を収納する場合、まず、前記収納枠体１の凹部５に、下側から反射板２４、導光板２５、拡散板２６を積層して配置する。
【００３５】
続いて、図５に示すように、液晶表示パネル１９の一側面を、前記収納枠体１における側壁３ｂの基準面２２に圧接させ、前記液晶表示パネル１９の対向側面側を前記収納枠体１の内部に位置するように下降させる。このとき、前記各パネル取付け固定部７の第１係止部１３の傾斜面１３ａに前記液晶表示パネル１９の対向側面の下端部が当接するが、この下端部を傾斜面１３ａに沿って押し込むと、前記各パネル取付け固定部７の固定部本体１０が前記収納枠体１の外側に反ることになり、前記液晶表示パネル１９の対向側面が傾斜面１３ａの下方に到達して前記収納枠体１の内部に配置される。
【００３６】
すると、前記各固定部本体１０は、外側への反りが解消されてもとの位置に戻り、前記各パネル取付け固定部７の押圧部材１４は、前記液晶表示パネル１９の対向側面に圧接されて、前記液晶表示パネル１９を前記側壁３ｂの基準面２２に押圧する。
【００３７】
これにより、前記収納枠体１の内部に、前記液晶表示パネル１９と、前記反射板２４、前記導光板２５、前記拡散板２６とを積層して一体に保持し、収納することができる。
【００３８】
本実施形態によれば、各固定部本体１０を収納枠体１の外側に容易に反らせることができる。また、前記基体２における前記各パネル取付け固定部７に接する周辺部分は開口８とされているので、前記各固定部本体１０を収納枠体１の外側に反らせる際に、前記各固定部本体１０をねじるようにして前記各固定部本体１０の下端縁を前記収納枠体１の内側に反らせることができ、一層容易に前記各固定部本体１０を収納枠体１の外側に反らせることができる。
【００３９】
さらに、これら各固定部本体１０を収納枠体１の外側に反らせて液晶表示パネル１９を前記収納枠体１の内部に収納した後は、前記各固定部本体１０を樹脂材料のばね性によってもとの位置に復元させることができる。また、前記各固定部本体１０は、第１支持部９および第２支持部１１によって第１側壁本体６ａおよび第２側壁本体６ｂにそれぞれ連結されて強力に支持されているので、前記各固定部本体１０をより確実にもとの位置に復元させてその位置を保持させることができる。
【００４０】
そして、前記収納枠体１の内部に配置された液晶表示パネル１９を各押圧部材１４により前記側壁３ｂの基準面２２に押圧することができるので、前記液晶表示パネル１９の配置位置を前記収納枠体１の内部において固定することができ、また前記第１係止部１３および第２係止部１６が液晶表示パネル１９のパネル表示側に係止することにより、前記液晶表示パネル１９を前記収納枠体１の内部に保持することができる。
【００４１】
したがって、両面粘着テープを用いずに収納枠体１の内部に液晶表示パネル１９を収納することができ、また各押圧部材１４によって液晶表示パネル１９を前記側壁３ｂの基準面２２に押圧することにより、収納枠体１の内部において液晶表示パネル１９の中心部の位置を所定位置に確実に確定することができる。
【００４２】
また、液晶表示パネル１９を収納枠体１に両面粘着テープを用いずに収納するので、例え前記収納枠体１に導光板２５等や液晶表示パネル１９を収納した後、前記導光板２５等や前記液晶表示パネル１９を収納しなおす必要が生じたとき、前記各固定部本体１０を収納枠体１の外側に撓ませて液晶表示パネル１９を収納枠体１から取り出し、再度収納しなおすことができる。
【００４３】
さらに、前記各パネル取付け固定部７においては、前記固定部本体１０の内面と前記側壁本体６の内面とが面一であって、前記固定部本体１０の厚みは前記側壁本体６よりも薄く形成されているので、前記各固定部本体１０をより容易に外側に反らせることができる。また、個体差によって液晶表示パネル１９が設計上の大きさより多少大きく形成された場合であって、この液晶表示パネル１９を前記収納枠体１に収納した際に各固定部本体１０が収納枠体１の外側に多少反ってしまっても、前記収納枠体１の外形から突出してしまうのを防止することができる。
【００４４】
なお、本発明は前記実施形態に限定されるものではなく、必要に応じて種々変更することが可能である。
【００４５】
例えば、本実施形態においては、２つのパネル取付け固定部７が第１側壁である側壁３ａに形成されているが、これに限定されず、１つであってもまた３つ以上であってもよい。
【００４６】
また、例えば前記パネル取付け固定部７が形成された側壁３ａに隣接する側壁３ｃに前記側壁３ａに形成されたパネル取付け固定部７と同じパネル取付け固定部７を形成し、前記側壁３ｃのパネル取付け固定部７における押圧部材１４によって液晶表示パネル１９を基体２における側壁３ｄの内面に押圧してもよい。これにより、各押圧部材１４によって液晶表示パネル１９を２方向から押圧することができるので、前記収納枠体１の内部において液晶表示パネル１９の中心部の位置をより確実に所定位置に確定することができる。
【００４７】
さらに、第１側壁に対向する第２側壁に弾性変形性を有するパネル取付け固定部を形成してもよい。このような構成にすることで、基準面を側壁の内面とせずに、収納枠体の中央部とすることもできる。
【００４８】
そして、本実施の形態では、固定部本体を側壁本体に延在する方向に面一に形成したが、固定部本体を側壁形成辺の内側に形成し、弾性変形可能な支持部、例えばコイルばね等の弾性体を側壁本体に直交する方向に取り付けた形態でもよい。
【図面の簡単な説明】
【００４９】
【図１】本発明に係る収納枠体に液晶表示パネルを収納した場合の一実施形態を示す平面図
【図２】図１の収納枠体の液晶表示パネルを収納した場合を示すＡ−Ａにおける断面図
【図３】図１の収納枠体の要部を示す拡大平面図
【図４】図１の収納枠体の要部を示す斜視図
【図５】図１の収納枠体に液晶表示パネルを収納する場合の一工程を示す断面図
【符号の説明】
【００５０】
１  収納枠体
２  基体
３ａ、３ｂ、３ｃ、３ｄ  側壁
７  パネル取付け固定部
９  第１支持部
１０  固定部本体
１１  第２支持部
１３  第１係止部
１４  押圧部材
１６  第２係止部
１９  液晶表示パネル
２２  基準面
【図１】
2005091682.tif 000003
【図２】
2005091682.tif 000004
【図３】
2005091682.tif 000005
【図４】
2005091682.tif 000006
【図５】
2005091682.tif 000007